(57)【要約】【課題】コピー元の記録手段に記録されているデータの中から所望のデータを簡単に選別してコピー先の記録手段にコピーすることができるコピープログラムの提供。【解決手段】コンピュータを、画像データが記録されているコピー元の記録手段から、コピーされた画像データのファイル名やコピー先の記録手段、記録場所、コピーの日時などのコピー情報を読み取るコピー情報読み取り手段１５、コピー情報に基づいて、画像データに基づく画像と共に該画像データがコピー済みであるか否かを示す情報を表示手段に表示させる表示制御手段１６、選択された画像データに対するコピー情報を生成するコピー情報生成手段１７、選択された画像データをコピー先の記録手段に記録すると共に、コピー情報が記述された情報ファイルや画像データをコピー元の記録手段に記録するデータ記録手段１８として機能させる。【選択図】図５
2005269333.tif 000002
【特許請求の範囲】
【請求項１】
コンピュータを、
画像データが記録されているコピー元の記録手段から、特定の画像データがコピー先の記録手段にコピーされたことを示すコピー情報を読み取る手段、
前記画像データに基づく画像又は前記画像データのファイル名を表示手段に表示させる際に、前記コピー情報を参照して、前記特定の画像データに基づく画像又は前記特定の画像データのファイル名に対応づけて、該特定の画像データがコピー済みであることを示す情報を前記表示手段に表示させる手段、として機能させることを特徴とするコピープログラム。
【請求項２】
コンピュータを、
画像データが記録されているコピー元の記録手段から、特定の画像データがコピー先の記録手段にコピーされたことを示すコピー情報を読み取る手段、
前記画像データに基づく画像又は前記画像データのファイル名を表示手段に表示させる際に、前記コピー情報を参照して、前記特定の画像データ以外の他の画像データに基づく画像又は前記他の画像データのファイル名に対応づけて、該他の画像データがコピーされていないことを示す情報を前記表示手段に表示させる手段、として機能させることを特徴とするコピープログラム。
【請求項３】
コンピュータを、
コピー元の記録手段に記録されている画像データの中から選択された特定の画像データがコピー先の記録手段にコピーされたことを示すコピー情報を生成する手段、
前記特定の画像データを前記コピー先の記録手段に記録させると共に、前記コピー情報を前記コピー元の記録手段に記録させるデータ記録手段、として機能させることを特徴とするコピープログラム。
【請求項４】
前記データ記録手段では、予め定められたルールに従って前記コピー先の記録手段に生成されたフォルダ内に、前記特定の画像データを記録することを特徴とする請求項３記載のコピープログラム。
【請求項５】
前記データ記録手段では、前記特定の画像データのファイル名を、予め定められたルールに従って生成されたファイル名にリネームして、前記コピー先の記録手段に記録することを特徴とする請求項３記載のコピープログラム。
【請求項６】
前記データ記録手段では、前記コピー情報を特定のファイルに記述して前記コピー元の記録手段に記録、又は、前記コピー情報を前記特定の画像データのヘッダに記述して前記コピー元の記録手段に記録することを特徴とする請求項３記載のコピープログラム。
【請求項７】
前記コピー情報は、前記特定の画像データのファイル名、前記コピー先の記録手段を特定する情報、前記コピー先の記録手段における前記特定の画像データの記録場所を特定する情報、前記コピーが行われた日時情報のいずれかを含むことを特徴とする請求項１乃至６のいずれか一に記載のコピープログラム。
【発明の詳細な説明】
【技術分野】
【０００１】
本発明は、データをコピーするコピープログラムに関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる。
【０００３】
また、ユーザがフィルムカメラで写真を撮影し、撮影済みのフィルムをミニラボ等の写真店に持ち込むと、写真店ではフィルムを現像した後、スキャナ等の読み取り装置を用いて画像データを読み取り、ＣＤ−Ｒ、ＤＶＤ−Ｒなどの記録媒体に書き込んでユーザに提供するサービスも行われている（例えば、特開平５−１８２３７３号公報等）。
【０００４】
【特許文献１】特開平５−１８２３７３号公報（第４−６頁、第３図）
【発明の開示】
【発明が解決しようとする課題】
【０００５】
上記サービスにより、画像データが記録された記録媒体を入手することができるが、該サービスを利用するためには無人端末や注文端末が設置された店舗に出向かなければならない。一方、近年のパーソナルコンピュータなどのコンピュータ機器には、デジタルカメラの接続端子やメディアを装填するスロットを備えたものも多く、デジタルカメラやメディアから簡単に画像データを読み込むことができ、又、読み込んだ画像データをハードディスクに記録して管理することができるため、コンピュータ機器を用いて上述した記録媒体を作成することができれば便利である。その場合、コンピュータ機器のモニタにコピー元のデジタルカメラやメディア、ハードディスクなどに記録された画像データを表示し、その中から選択した画像データを所定のコピープログラムを用いてコピー先のＣＤ−ＲやＤＶＤ−Ｒなどの記録媒体にコピーすることになる。
【０００６】
ここで、デジタルカメラやメディア、ハードディスクなどのコピー元の記録手段に記録された画像データを記録媒体などの他の記録手段に移動する場合（すなわち、コピー先の記録手段に画像データを書き込むと共に、コピー元の記録手段の画像データを消去する場合）は画像データを重複してコピーしたり画像データの一部をコピーし忘れるといった問題は生じないが、画像データをコピーする場合（すなわちコピー元の記録手段の画像データを消去しない場合）は、以前にどの画像データをコピーしたかが分からないため、画像データを重複してコピーしたり画像データの一部をコピーし忘れるといった問題が生じてしまう。
【０００７】
そのような場合には、ユーザ自身がコピー元の記録手段に記録されている画像データとコピー先の記録手段に記録されている画像データとをファイル名などを用いて比較して、どの画像データがコピー済みであるかを判別することになるが、大容量のメディアに多数の画像データが記録されている場合や多数の画像データがハードディスクで集中的に管理されている場合、多数の記録媒体に画像データがコピーされている場合には、画像データの照合に多大な時間を要してしまう。
【０００８】
本発明は、上記問題点に鑑みてなされたものであって、その主たる目的は、コピー元の記録手段に記録されているデータの中から所望のデータを簡単に選別してコピー先の記録手段にコピーすることができるコピープログラムを提供することにある。
【課題を解決するための手段】
【０００９】
上記目的を達成するため、本発明のコピープログラムは、コンピュータを、画像データが記録されているコピー元の記録手段から、特定の画像データがコピー先の記録手段にコピーされたことを示すコピー情報を読み取る手段、前記画像データに基づく画像又は前記画像データのファイル名を表示手段に表示させる際に、前記コピー情報を参照して、前記特定の画像データに基づく画像又は前記特定の画像データのファイル名に対応づけて、該特定の画像データがコピー済みであることを示す情報を前記表示手段に表示させる手段、として機能させるものである。
【００１０】
また、本発明のコピープログラムは、コンピュータを、画像データが記録されているコピー元の記録手段から、特定の画像データがコピー先の記録手段にコピーされたことを示すコピー情報を読み取る手段、前記画像データに基づく画像又は前記画像データのファイル名を表示手段に表示させる際に、前記コピー情報を参照して、前記特定の画像データ以外の他の画像データに基づく画像又は前記他の画像データのファイル名に対応づけて、該他の画像データがコピーされていないことを示す情報を前記表示手段に表示させる手段、として機能させるものである。
【００１１】
また、本発明のコピープログラムは、コンピュータを、コピー元の記録手段に記録されている画像データの中から選択された特定の画像データがコピー先の記録手段にコピーされたことを示すコピー情報を生成する手段、前記特定の画像データを前記コピー先の記録手段に記録させると共に、前記コピー情報を前記コピー元の記録手段に記録させるデータ記録手段、として機能させるものである。
【００１２】
本発明においては、前記データ記録手段では、予め定められたルールに従って前記コピー先の記録手段に生成されたフォルダ内に、前記特定の画像データを記録する構成、又は、前記データ記録手段では、前記特定の画像データのファイル名を、予め定められたルールに従って生成されたファイル名にリネームして、前記コピー先の記録手段に記録する構成とすることができる。
【００１３】
また、本発明においては、前記データ記録手段では、前記コピー情報を特定のファイルに記述して前記コピー元の記録手段に記録、又は、前記コピー情報を前記特定の画像データのヘッダに記述して前記コピー元の記録手段に記録する構成とすることもできる。
【００１４】
また、本発明においては、前記コピー情報は、前記特定の画像データのファイル名、前記コピー先の記録手段を特定する情報、前記コピー先の記録手段における前記特定の画像データの記録場所を特定する情報、前記コピーが行われた日時情報のいずれかを含むことが好ましい。
【００１５】
このように、本発明の構成によれば、コピー元の記録手段からコピー先の記録手段に画像データをコピーすると、どの画像データがいつどの記録手段のどの記録場所にコピーされたかなどを示すコピー情報が作成されて、コピー元の記録手段に記録される。そして、コピー元の記録手段に記録されている画像データを再度表示させると、該画像データに基づく画像と共に、コピー情報を参照して該画像データがコピー済みであるか否かを示す情報も表示されるため、ユーザはコピー元の記録手段に記録されている多数の画像データの中からコピーすべき所望の画像データを簡単に選別することができ、これによりユーザの利便性を格段に向上させることができる。
【発明の効果】
【００１６】
以上説明したように、本発明のコピープログラム及び記録装置によれば、コピー元の記録手段に記録されている多数の画像データの中からコピーすべき所望の画像データを簡単に選別することができ、これによりユーザの利便性を格段に向上させることができる。
【００１７】
その理由は、コピー元の記録手段（例えば、デジタルカメラやメディア、ハードディスク、ホームサーバ、ｗｅｂサーバなど）からコピー先の記録手段（例えば、ＣＤ−ＲやＤＶＤ−Ｒなどの記録媒体やハードディスク、ホームサーバ、ｗｅｂサーバなど）に画像データをコピーすると、コピー情報生成手段により、どの画像データがいつどの記録手段のどの記録場所にコピーされたかなどを示すコピー情報が作成されて、該コピー情報が記述された情報ファイル、又は、コピー情報がヘッダ領域などに記述された画像データがコピー元の記録手段に記録される。そして、コピー元の記録手段に記録されている画像データを再度表示する際に、コピー情報読み取り手段によりコピー情報が読み取られ、コピー情報を参照して、該画像データに基づく画像と共に該画像データがコピー済みであるか否かを示す情報も表示されるからである。
【発明を実施するための最良の形態】
【００１８】
本発明に係るコピープログラムは、その好ましい一実施の形態において、コンピュータを、画像データが記録されているコピー元の記録手段から、コピーされた画像データのファイル名やコピー先の記録手段を特定する情報、該記録手段における画像データの記録場所を特定する情報、コピーの日時を特定する情報などのコピー情報を読み取るコピー情報読み取り手段、コピー情報に基づいて、画像データに基づく画像と共に該画像データがコピー済みであるか否かを示す情報を表示手段に表示させる表示制御手段、選択された画像データに対するコピー情報を生成するコピー情報生成手段、選択された画像データをコピー先の記録手段に記録すると共に、コピー情報が記述された情報ファイルやコピー情報がヘッダ領域などに記述された画像データをコピー元の記録手段に記録するデータ記録手段として機能させるものであり、上記コピープログラムを用いることにより、コピーすべき画像データを簡単に判別することができる。
【実施例１】
【００１９】
上記実施形態について詳細に説明すべく、本発明の第１の実施例に係るコピープログラム及び記録装置について、図１乃至図１４を参照して説明する。図１は、第１の実施例に係る記録装置の構成を模式的に示す図であり、図２乃至図４は、記録装置の他の構成を模式的に示す図である。また、図５は、記録装置の機能を示すブロック図であり、図６は、記録装置を用いたコピーの手順を示すフローチャート図である。また、図７及び図８は、データの記録構造を示す図であり、図９乃至図１４は、記録装置の表示手段に表示される画面の一例を示す図である。
【００２０】
図１に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３等のデータ入力手段と、ハードディスク１０などの内部記録手段と、ＣＤ−Ｒ／ＲＷやＤＶＤ±Ｒ／ＲＷ、ＤＶＤ−ＲＡＭ、Ｂｌｕ−ｒａｙディスク等の記録媒体９を装填する記録媒体装填部４やインターネット等の通信ネットワーク１２を介してホームサーバ１１やｗｅｂサーバ１３などの外部記録手段に接続するネットワーク接続部などのデータ記録手段と、ボタン、キーボード、マウス等の操作手段６及びＬＣＤ、ＣＲＴ等の表示手段５とを備えている。
【００２１】
なお、図１では記録装置１としてパーソナルコンピュータを用いる場合を示しているが、記録装置１の形態は任意であり、例えば、図２に示すように専用のセットトップボックスとしたり、図３に示すようにポータブルライターとしたり、図４に示すように、演算処理機能を備えるＨＤＤレコーダやＤＶＤレコーダ、ゲーム機などとすることもできる。
【００２２】
また、記録装置１の主な機能をブロック図で示すと図５のようになる。すなわち、ハードディスク１０やデジタルカメラ７、メディア８、ホームサーバ１１、ｗｅｂサーバ１３などのコピー元の記録手段から画像データ及びコピー情報を入力するデータ入力手段１４と、コピーした画像データのファイル名、コピー先の記録手段や該記録手段における画像データの記録場所を特定する情報、コピーの日時を特定する情報などのコピーに関する情報（以下、コピー情報と呼ぶ。）を読み取るコピー情報読み取り手段１５と、画像データに基づく画像と共に該画像データがコピー済みであるか否かを示す情報を表示手段５に表示させる表示制御手段１６と、画像データをコピーした場合に、新たにコピーした画像データに対するコピー情報を生成するコピー情報生成手段１７と、記録媒体９やハードディスク１０、ホームサーバ１１、ｗｅｂサーバ１３などのコピー先の記録手段に画像データを記録すると共に、コピー元の記録手段にコピー情報を記録するデータ記録手段１８とを少なくとも備えている。
【００２３】
なお、本実施例におけるコピーとは画像データにおける画像情報を変更することなく、そのまま又は該画像データのファイル名を変更して複製することを意味するものとする。また、上記各手段は記録装置１にハードウェアとして構成されていてもよいが、コンピュータを、コピー情報読み取り手段１５、表示制御手段１６、コピー情報生成手段１７、データ記録手段１８などとして機能させるコピープログラムとして構成し、該コピープログラムを記録装置１にインストールして実行する構成としてもよい。
【００２４】
次に、上記記録装置１を用いて画像データをコピーする手順について、図６のフローチャート図を参照して説明する。なお、上述したようにコピー元の記録手段としてハードディスク１０やデジタルカメラ７、メディア８、ホームサーバ１１、ｗｅｂサーバ１３などがあり、コピー先の記録手段として記録媒体９やハードディスク１０、ホームサーバ１１、ｗｅｂサーバ１３などがあるが、ここではハードディスク１０に記録された画像データを記録媒体９にコピーする場合について説明する。
【００２５】
まず、ステップＳ１０１で、ハードディスク１０などのコピー元の記録手段に記録された画像データ（静止画像データや動画データ、画像情報を含むデータを総称して画像データと呼ぶ。）を読み取る。このコピー先の記録手段における画像データの記録構造は任意であるが、例えば、図７（ａ）に示すように、所定の画像データ格納フォルダ”my picture”内に撮影日時毎の画像データを格納するフォルダ”DSC040211”などが作成されており、その中にデジタルカメラ７で撮影して得られた画像データ”DSC00001.jpg”などが格納されている。
【００２６】
次に、ステップＳ１０２で、コピー情報読み取り手段１５は、画像データが記録されているコピー元の記録手段（ここではハードディスク１０）からコピー情報を抽出する。このコピー情報は、前述したように、コピーした画像データのファイル名、コピー先の記録手段や該記録手段における画像データの記録場所を特定する情報、コピーの日時を特定する情報などのコピーに関する情報であるが、このコピー情報は特定の情報ファイル中に記述されていてもよいし、画像データのヘッダ領域などに記述されていてもよい。なお、ここでは、初めて画像データをコピーする場合を想定し、ハードディスク１０にはコピー情報が記録されていないものとする。
【００２７】
次に、ステップＳ１０３で、表示制御手段１６は、コピー元の記録手段から読み取った画像データに基づく画像を表示手段５に表示させる。この画像データに基づく画像の表示方法は特に限定されないが、例えば、図９に示すような画像表示画面１９により表示することができる。この画像表示画面１９には、画像データに基づく画像を一覧表示するアルバム表示欄２１に加えて、コピー元の記録手段を識別するためのタグ表示欄２０や、画像データを用いた処理を選択する作業メニュー欄２２などが設けられている。
【００２８】
そして、マウスやキーボードなどの操作手段６を用いて作業メニュー欄２２の中から”画像をコピーする”を選択すると、図１３に示すようなスライドショー作成画面２４が表示される。このスライドショー作成画面２４には、例えば、画像データのコピー元の記録手段を示すタグ表示欄２０及び画像データに基づく画像を一覧表示するアルバム表示欄２１に加えて、ユーザが選択した画像を表示する選択画像表示欄２５や操作手順を明示する手順表示欄２６などが設けられており、ステップＳ１０４で、ユーザがマウスやキーボードなどの操作手段６を用いてアルバム表示欄２１の中から所望の画像データを選択すると、選択された画像データが選択画像表示欄２５に表示される。その後、手順表示欄２６の手順に従ってタイトルの入力や文字の入力、ＢＧＭの選択などのスライドショーの再生条件を設定する。
【００２９】
次に、ステップＳ１０５で、必要に応じて、選択された画像データを表示やプリントに適したサイズや形式の画像データに編集したり、選択された画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができるが、縮小画像データを有効に利用するためにはモニタの解像度以上の画素数、又は、サービス版程度の写真プリントを作成できる程度の画素数を備えていることが好ましい。
【００３０】
次に、ステップＳ１０６で、必要に応じて、選択された画像データで作成されたスライドショーをＤＶＤプレーヤやＤＶＤレコーダ、ゲーム機等の画像再生機器でも再生できるように、該画像データを動画データ（Ｖｉｄｅｏ−ＣＤ形式、ＤＶＤ−Ｖｉｄｅｏ形式、ＨＤＴＶ形式などのデータ）に変換する。なお、画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００３１】
次に、ステップＳ１０７で、手順表示欄２６の”コピー先を指定する”の項目でコピー先の記録手段（例えば、記録媒体９、ホームサーバ１１、ｗｅｂサーバ１３など、ここでは記録媒体９とする。）を指定し、上記手順で選択された画像データ、作成された縮小画像データや動画データをコピー先の記録手段に記録する。
【００３２】
具体的には、ステップＳ１０８で、作成された動画データや関連付けファイル等（以下、これらを総称して画像再生機器用データ群と呼ぶ。）を予め設けた書き込み用の所定のフォルダに転送した後、データ記録手段１８を用いて、該フォルダから画像再生機器用データ群を読み出して、記録媒体９の論理アドレス領域の内側に記録する。その後、ステップＳ１０９で、データ記録手段１８を用いて、コンピュータ機器用のデータの記録を行う前に、画像再生機器で使用可能なデータの領域を区分するために一旦セッションをクローズする。
【００３３】
次に、ステップＳ１１０で、選択された画像データや作成された縮小画像データ、予め記録されたプログラムや設定ファイル等（以下、これらを総称してコンピュータ機器用データ群と呼ぶ。）を予め設けた書き込み用の所定のフォルダに転送した後、データ記録手段１８を用いて、該フォルダからコンピュータ機器用データ群を読み出し、コピー先の記録手段に記録する。
【００３４】
上記手順で作成された記録媒体９の記録構造は、例えば、図８に示すようになり、”mypicture”フォルダ内の画像データ、サムネイル画像データ、スクリーンネイル画像データなどの画像データ群、”Slideshow”フォルダ内のスライドショープログラム及びスライドショーの設定ファイルなどのコンピュータ機器用データ群と、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどの画像再生機器用データ群とで構成される。
【００３５】
次に、ステップＳ１１１で、コピー情報生成手段１７を用いて、コピーした画像データを特定する情報、コピー先の記録手段や該記録手段における画像データの記録場所（パス名）を特定する情報、コピーの日時を特定する情報などのコピー情報の作成を行う。例えば、アルバム表示欄２１に表示された画像の内、７番目の画像データを記録媒体９にコピーする場合は、”C:\my picture\DSC040211\DSC00007.jpg,Q(AABCXXXXXYYMDyyy):\my picture\DSC040211\DSC00007.jpg,2004/03/01”（ハードディスク１０のＣドライブのmy pictureフォルダ内のDSC040211フォルダに格納されているDSC00007.jpgというファイル名の画像データが、Ｑドライブに装填されたAABCXXXXXYYMDyyyというボリュームラベルのＣＤのmy pictureフォルダ内のDSC040211フォルダに、DSC00007.jpgというファイル名で２００４年３月１日にコピーされたことを示している。）などのコピー情報を生成し、該コピー情報を情報ファイルに記述、又は、画像データのヘッダ領域などに記述する。
【００３６】
次に、ステップＳ１１２で、上記コピー情報が記述された情報ファイル又は画像データをコピー元の記録手段（ここではハードディスク１０）に記録する。このコピー情報を特定の情報ファイルに記述した場合は、コピー元の記録手段は例えば図７（ｂ）に示すようなデータ構造となり、所定の画像データ格納フォルダ”my picture”内に撮影日時毎の画像データを格納するフォルダ”DSC040211”などが作成され、その中にデジタルカメラ７で撮影して得られた画像データ”DSC00001.jpg”などが格納されと共に、”my picture”内に、コピー情報が記述された情報ファイル（info.txt）が記録される。なお、画像データのヘッダ領域などにコピー情報を記述した場合は情報ファイルは不要であり、画像データを上書きすることによりコピー情報が記録される。
【００３７】
次に、ステップＳ１１３でコピーを終了するか否かを判断し、再度コピーを行う場合はステップＳ１０２に戻る。そして、ステップＳ１０２でコピー情報読み取り手段１５を用いて再度コピー情報の読み取りを行うが、ここではステップＳ１１２でコピー元の記録手段に情報ファイルが記録されているため、コピー情報読み取り手段１５は該記録手段から情報ファイル（info.txt）を読み出し、その記述を参照してどの画像データがコピーされた画像データであるのかを認識する。
【００３８】
次に、ステップＳ１０３で、表示制御手段１６は、コピー元の記録手段から読み取った画像データに基づく画像を表示手段５に表示させる。その際、初回の表示の際にはコピー情報が記録されていなかったため、アルバム表示欄２１には画像データに基づく画像のみが表示されたが、本ステップでは、コピー元の記録手段に記録されている画像データの中で、どの画像データが既にコピーされた画像データであるかを識別することができるため、表示制御手段１６は、図１０に示すように、コピー済みの画像データに関してはアルバム表示欄２１中の画像に対応づけて既にコピーが行われたことを示す情報（ここでは”コピー済み”の文字）を表示する。
【００３９】
なお、図１０では、”コピー済み”の文字を画像の中央に画像に重ねて表示する例を示したが、画像データがコピー済みであるか否かを識別可能に表示する方法は任意であり、例えば、画像の閲覧の支障とならないように文字を画像の隅に表示したり、コピーされていない画像データ（すなわち、コピー情報で指定されていない画像データ）に基づく画像にコピーされていないことを示す情報（例えば、”未コピー”の文字）を表示したり、図１１（ａ）に示すように、文字に代えて記号やイラストなどを表示したり、図１１（ｂ）に示すように、コピー済みか否かの情報を画像の近傍に表示したり、コピー済みの画像データと未コピーの画像データとを分別して表示したり、コピー済みの画像データに基づく画像の濃淡を変えたり（例えば薄く表示するなど）、白黒を反転させたりしてもよい。
【００４０】
また、アルバム表示欄２１の画像上にコピー済みか否かを表示するのみならず、コピー済みの画像データに関して、いつ、どの記録手段のどの記録場所にコピーされたのかなどの詳細情報を表示する構成としてもよい。その場合、画像中に多数の情報を表示すると画像の閲覧の支障となるため、例えば、図１２に示すように、コピー済みの画像データに基づく画像上にカーソルを移動させたりマウスをクリックすると、表示制御手段１６は画像表示画面１９上にコピーの詳細情報を示すウィンドウ（コピー情報表示欄２３）を重ねて表示させ、該ウィンドウ中に該画像データのファイル名、コピー先の記録手段の種別、該記録手段における画像データの記録場所、コピーの日時情報などを表示させる構成とすることもできる。
【００４１】
また、上記方法は画像データに基づく画像と共にコピー情報を表示させる場合の方法であるが、画像を表示させずに画像データのファイル名のみを一覧表示させる場合においても、どの画像データがコピー済みであるか否かを識別できるようにすることもできる。例えば、図１４（ａ）に示すように、コピー済みの画像データに対してはファイル名に対応づけてコピー済みであることを示す文字や記号、イラストなどの情報（ここでは”copy”の文字）を識別可能に付加してファイル名を一覧表示したり、図１４（ｂ）に示すように、コピー済みの画像データとコピーされていない画像データとを区分して表示（ここではフォルダで区分して表示）する構成とすることもできる。
【００４２】
このように、本実施例の記録装置１では、画像表示画面１９に表示されている画像のうち、どの画像データがコピー済みであり、どの画像データがコピーされていないかを識別可能に表示することができるため、以前にコピーした画像データを再度コピーしたり、コピーされていない画像データをコピーし忘れるなどの不具合を防止することができる。
【００４３】
その後、同様にステップＳ１０４で画像データの選択、ステップＳ１０５で縮小画像データの作成、ステップＳ１０６で動画データの作成、ステップＳ１０７でコピー先の指定を行って、ステップＳ１０８〜Ｓ１１０で該コピー先の記録手段に画像データを記録した後、ステップＳ１１１でコピー情報生成手段１７を用いてコピー情報を生成して該コピー情報を情報ファイルに記述又は画像データのヘッダ領域などに記述し、ステップＳ１１２で該コピー情報をコピー元の記録手段に記録する。その際、コピー元の記録手段に既に情報ファイル（info.txt）が記録されている場合は、情報ファイルを更新して上書きすればよいし、画像データに記述した場合は該画像データを上書きすればよい。
【実施例２】
【００４４】
次に、本発明の第２の実施例に係るコピープログラム及び記録装置について、図１５乃至図１７を参照して説明する。図１５は、記録装置を用いたコピーの手順を示すフローチャート図であり、図１６及び図１７は、コピー先の記録手段のデータの記録構造を示す図である。
【００４５】
前記した第１の実施例では、コピー元の記録手段に記録されている画像データを記録構造（すなわち、フォルダ構成やフォルダ名、ファイル名）を維持して、コピー先の記録手段に記録する場合を示したが、画像データの管理を容易にするためには画像データの記録構造を特定のルールに従って変更した方が好ましい場合もある。そこで、本実施例では、画像データを予め定められたルールに従って生成されるフォルダに格納したり、画像データに予め定められたルールに従って生成されたファイル名称を付与してコピー先の記録手段に記録する場合について説明する。
【００４６】
以下、第１の実施例と同様に、ハードディスク１０に記録された画像データを記録媒体９にコピーする手順について、図１５のフローチャート図を参照して説明する。
【００４７】
まず、第１の実施例と同様に、ステップＳ２０１で、ハードディスク１０などのコピー元の記録手段に記録されたデータを読み取り、ステップＳ２０２で、コピー情報読み取り手段１５を用いて、画像データが記録されている記録手段からコピー情報を抽出する。このコピー先の記録手段の画像データの記録構造は任意であるが、第１の実施例と同様に、所定の画像データ格納フォルダ”my picture”内に撮影日時毎の画像データを格納するフォルダ”DSC040211”などが作成され、その中にデジタルカメラ７で撮影して得られた画像データ”DSC00001.jpg”などが格納されると共に、コピー情報が記述された情報ファイル（info.txt）が記録されているとする。
【００４８】
次に、ステップＳ２０３で、コピー元の記録手段から読み取った画像データに基づく画像を表示手段５に表示し、ステップＳ２０４でユーザはマウスやキーボードなどの操作手段６を用いて所望の画像データを選択する。その際、本実施例においても、アルバム表示欄２１中の画像に対応づけて、該画像の基となる画像データがコピー済みであるか否かを示す文字や記号、イラストなどが表示されるため、ユーザはコピーすべき画像データを簡単かつ確実に選択することができる。
【００４９】
次に、ステップＳ２０５で、必要に応じて、選択された画像データを表示やプリントに適したサイズや形式の画像データに編集したり、選択された画像データのデータサイズを縮小したサムネイル画像データやスクリーンネイル画像データなどの縮小画像データを作成し、ステップＳ２０６で、必要に応じて、選択された画像データをＤＶＤプレーヤやＤＶＤレコーダ、ゲーム機等の画像再生機器で読み取り可能な動画データ（Ｖｉｄｅｏ−ＣＤ形式、ＤＶＤ−Ｖｉｄｅｏ形式、ＨＤＴＶ形式などのデータ）に変換する。
【００５０】
次に、ステップＳ２０７で、手順表示欄２５の”コピー先を指定する”の項目でコピー先の記録手段（ここでは記録媒体９とする。）を指定した後、ステップＳ２０８で、データ記録手段１８を用いて、予め定められたルールに従ってコピー先の記録手段に作成するフォルダ名、画像データのファイル名などを生成する。
【００５１】
次に、ステップＳ２０９で、作成された動画データや関連付けファイル等の画像再生機器用データ群を予め設けた書き込み用の所定のフォルダに転送した後、データ記録手段１８を用いて、該フォルダから画像再生機器用データ群を読み出して、記録媒体９の論理アドレス領域の内側に記録する。そして、ステップＳ２１０で、画像再生機器で使用可能なデータの領域を区分するために一旦セッションをクローズした後、ステップＳ２１１で、選択された画像データ又は作成した縮小画像データや所定のプログラム、設定ファイル等のコンピュータ機器用データ群を予め設けた書き込み用の所定のフォルダに転送した後、データ記録手段１８を用いて、該フォルダからコンピュータ機器用データ群を読み出し、コピー先の記録手段に記録する。
【００５２】
このコピー先の記録手段におけるデータの記録構造は、例えば図１６に示すようになり、画像データの格納場所を示すフォルダ（PS_Roll）の下位の階層に、メディア８毎、機器毎の画像データの格納場所を示すフォルダ（RO_AABC_XXXXX_YYMMDD_yyy_zzz、AA：国別のコード番号（00〜ZZ）、B：地域別のコード番号（0〜Z）、C：記録媒体の作り方を示すコード番号（例えば、キオスクで作った場合はk、ラボで作った場合はLなど）、XXXXX：ランダムなＩＤ番号、yymmdd：書き込み年月日を特定する数字、yyy：日毎のシーケンシャル番号、zzz：所定の単位毎（例えば、メディア毎や機器毎など）のシーケンシャル番号）が作成され、その中に選択された画像データやサムネイル画像データ、スクリーンネイル画像データなどの画像データ群が記録される。
【００５３】
また、デジタルカメラ７で撮影して得られた画像データには、通常”DSC”の文字とシーケンシャルな番号のみからなるファイル名が付与されるが、このファイル名を一見しただけではいつ撮影して得られた画像データであるかを識別することができない。そこで本実施例では、元の画像データであることを示す文字”OR”と日時情報とシーケンシャル番号とを用いてファイル名を生成し、画像データのファイル名をリネームしてコピー先の記録手段に記録している。なお、図１６ではフォルダの構成及びファイル名の双方を新たに設定成しているが、フォルダの構成のみを設定してもよいし、ファイル名のみを設定してもよい。また、フォルダの階層構造も図１６の構成に限定されず、例えば、図１７に示すように、PS_Rollフォルダの上位に、移住してきた画像データの格納場所を示すフォルダ（PS_AABC_XXXXX_YYMMDD_zzz）などを作成してもよく、このような構成とすれば画像データの管理を更に容易にすることができる。
【００５４】
次に、ステップＳ２１２で、コピー情報生成手段１７を用いて、コピーした画像データを特定する情報、コピー先の記録手段や該記録手段における画像データの記録場所（パス名）を特定する情報、コピーの日時情報などのコピー情報の作成を行う。例えば、アルバム表示欄２１に表示された画像の内、７番目の画像データを記録媒体９にコピーする場合は、”C:\my picture\DSC040211\DSC00007.jpg,Q(AABCXXXXXYYMDyyy):\PS_Roll\RO_AABC_XXXXX_YYMMDD_yyy_zzz\DSC040211\OR040211000001.jpg,2004/03/01”（ハードディスク１０のＣドライブのmy pictureフォルダ内のDSC040211フォルダに格納されているDSC00007.jpgというファイル名の画像データが、Ｑドライブに装填されたAABCXXXXXYYMDyyyというボリュームラベルのＣＤのPS_Rollフォルダの下位のRO_AABC_XXXXX_YYMMDD_yyy_zzzフォルダ内のDSC040211フォルダに、OR040211000001.jpgというファイル名で２００４年３月１日にコピーされたことを示している。）などのコピー情報が記述された情報ファイルが生成され、該コピー情報が情報ファイルに記述又は画像データのヘッダ領域などに記述される。
【００５５】
次に、ステップＳ２１３で、上記コピー情報が記述された情報ファイル又は画像データをコピー元の記録手段に記録する。その後、ステップＳ２１４でコピーを終了するか否かを判断し、再度コピーを行う場合はステップＳ２０２に戻り、同様の処理を行う。
【００５６】
このように、本実施例では、コピー先の記録手段に、所定の階層構造のユニークな名称のフォルダが生成され、該フォルダに画像データがそのまま又はリネームして記録されるため、第１の実施例の構成に比べて、画像データの管理を容易にすることができる。
【００５７】
なお、上記各実施例では、本発明のコピープログラムを用いて画像データをコピーする場合について記載したが、本発明は上記実施例に限定されるものではなく、楽曲音声データやコンテンツデータなどをコピーする場合においても適用することができる。
【図面の簡単な説明】
【００５８】
【図１】本発明の第１の実施例に係る記録装置の構成を模式的に示す図である。
【図２】本発明の第１の実施例に係る記録装置の他の構成を示す図である。
【図３】本発明の第１の実施例に係る記録装置の他の構成を示す図である。
【図４】本発明の第１の実施例に係る記録装置の他の構成を示す図である。
【図５】本発明の第１の実施例に係る記録装置により機能する手段を示すブロック図である。
【図６】本発明の第１の実施例に係る記録装置を用いたコピー手順を示すフローチャート図である。
【図７】コピー元（ハードディスク）における画像データの記録構造を示す図である。
【図８】コピー先（記録媒体）における画像データの記録構造を示す図である。
【図９】本発明の第１の実施例に係る記録装置の表示手段に表示される画面（画像表示画面）の構成例を示す図である。
【図１０】本発明の第１の実施例に係る記録装置の表示手段に表示される画面（画像表示画面）の構成例を示す図である。
【図１１】本発明の第１の実施例に係る記録装置の表示手段に表示される画面（画像表示画面中のコマ画像）の構成例を示す図である。
【図１２】本発明の第１の実施例に係る記録装置の表示手段に表示される画面（画像表示画面）の構成例を示す図である。
【図１３】本発明の第１の実施例に係る記録装置の表示手段に表示される画面（スライドショー作成画面）の構成例を示す図である。
【図１４】本発明の第１の実施例に係る記録装置の表示手段に表示される画面（ファイル名一覧表示画面）の構成例を示す図である。
【図１５】本発明の第２の実施例に係る記録装置を用いたコピー手順を示すフローチャート図である。
【図１６】コピー先（記録媒体）における画像データの記録構造を示す図である。
【図１７】コピー先（記録媒体）における画像データの記録構造を示す図である。
【符号の説明】
【００５９】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  ハードディスク
１１  ホームサーバ
１２  通信ネットワーク
１３  ｗｅｂサーバ
１４  データ入力手段
１５  コピー情報読み取り手段
１６  表示制御手段
１７  コピー情報生成手段
１８  データ記録手段
１９  画像表示画面
２０  タグ表示欄
２１  アルバム表示欄
２２  作業メニュー欄
２３  コピー情報表示欄
２４  スライドショー作成画面
２５  選択画像表示欄
２６  手順表示欄
【図１】
2005269333.tif 000003
【図２】
2005269333.tif 000004
【図３】
2005269333.tif 000005
【図４】
2005269333.tif 000006
【図５】
2005269333.tif 000007
【図６】
2005269333.tif 000008
【図７】
2005269333.tif 000009
【図８】
2005269333.tif 000010
【図９】
2005269333.tif 000011
【図１０】
2005269333.tif 000012
【図１１】
2005269333.tif 000013
【図１２】
2005269333.tif 000014
【図１３】
2005269333.tif 000015
【図１４】
2005269333.tif 000016
【図１５】
2005269333.tif 000017
【図１６】
2005269333.tif 000018
【図１７】
2005269333.tif 000019